Podtech/llm-jp-corpus-v4-ja_patent huggingface dataset:
【手続補正書】
【提出日】平成31年1月23日(2019.1.23)
【手続補正１】
【補正対象書類名】特許請求の範囲
【補正対象項目名】請求項１
【補正方法】変更
【補正の内容】
【請求項１】
ゲートラインにゲート信号を提供し、発光ラインに発光制御信号を提供する走査駆動部と、
データラインにデータ信号を提供するデータ駆動部と、
複数の画素を含む有機発光表示パネルと、を含み、
前記画素の各々は、有機発光素子及び前記有機発光素子を制御する回路部を含み、
前記回路部は、前記ゲートラインのうちで対応するゲートラインに印加されたゲート信号に応答して、前記データラインのうちで対応するデータラインに印加されたデータ信号を出力する第１トランジスタ、及び、前記有機発光素子に流れる駆動電流を制御する第２トランジスタを含み、
前記第２トランジスタは、
ベース基板上に配置され、チャンネル領域、及び、前記チャンネル領域を挟み込むように配置された、第１イオンドーピング領域及び第２イオンドーピング領域を含むポリシリコン層と、
前記チャンネル領域上に、絶縁されるように重畳する第１ゲート電極と、
前記第１ゲート電極から絶縁され、前記チャンネル領域に重畳する第２ゲート電極と、
前記第２ゲート電極上に配置される層間絶縁層と、
前記層間絶縁層上に配置され前記第１イオンドーピング領域に連結されたソース電極と、
前記層間絶縁層上に配置され前記第２イオンドーピング領域に連結されたドレーン電極と、を含み、
前記チャンネル領域は、前記第１イオンドーピング領域及び前記第２イオンドーピング領域より大きさが大きいグレイン（Ｇｒａｉｎ）を有する有機発光表示装置。
【手続補正２】
【補正対象書類名】特許請求の範囲
【補正対象項目名】請求項６
【補正方法】変更
【補正の内容】
【請求項６】
ベース基板の一面上に非晶質シリコン層、前記非晶質シリコン層に絶縁されるように重畳する第１ゲート電極、及び前記第１ゲート電極に絶縁されるように重畳する第２ゲート電極を形成する段階と、
前記ベース基板の他面から前記非晶質シリコンにレーザーを照射して前記非晶質シリコン層からポリシリコン層を形成する段階と、
前記第２ゲート電極上に層間絶縁層を形成する段階と、
前記第２ゲート電極をマスクとして利用して前記ポリシリコン層の一部分をイオンドーピングして第１イオンドーピング領域及び第２イオンドーピング領域を形成する段階と、
前記第１イオンドーピング領域に連結されたソース電極及び前記第２イオンドーピング領域に連結されたドレーン電極を形成する段階と、
前記ドレーン電極に連結された有機発光素子を形成する段階と、を含む有機発光表示装置製造方法。
【手続補正書】
【提出日】令和1年7月5日(2019.7.5)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
半導体と、第１の導電体と、第２の導電体と、第３の導電体と、第１の絶縁体と、第２の絶縁体と、を有し、
前記第２の導電体及び前記第３の導電体の各々は、前記半導体の上面と接する領域を有し、
前記第２の絶縁体は、前記第２の導電体の上面と接する領域と、前記第３の導電体の上面と接する領域を有し、
前記第２の絶縁体は、前記半導体と重なる領域において、開口部を有し、
前記第１の絶縁体は、前記開口部において、前記半導体と接する領域と、前記第２の導電体の側面と接する領域と、前記第３の導電体の側面と接する領域と、前記第２の絶縁体の側面と接する領域を有し、
前記第１の導電体は、前記開口部において、前記第１の絶縁体を介して、前記半導体と重なる領域と、前記第２の絶縁体の側面と面する領域を有し、
前記半導体のチャネル長方向において、前記第２の導電体の底面と、前記第１の絶縁体と接する領域における前記第２の導電体の側面のなす角が、９０度より小さく、
前記半導体のチャネル長方向において、前記第３の導電体の底面と、前記第１の絶縁体と接する領域における前記第３の導電体の側面のなす角が、９０度より小さい、半導体装置。
【請求項２】
半導体と、第１の導電体と、第２の導電体と、第３の導電体と、第１の絶縁体と、第２の絶縁体と、を有し、
前記第２の導電体及び前記第３の導電体の各々は、前記半導体の上面と接する領域を有し、
前記第２の絶縁体は、前記第２の導電体の上面と接する領域と、前記第３の導電体の上面と接する領域を有し、
前記第２の絶縁体は、前記半導体と重なる領域において、開口部を有し、
前記第１の絶縁体は、前記開口部において、前記半導体と接する領域と、前記第２の導電体の側面と接する領域と、前記第３の導電体の側面と接する領域と、前記第２の絶縁体の側面と接する領域を有し、
前記第１の導電体は、前記開口部において、前記第１の絶縁体を介して、前記半導体と重なる領域と、前記第２の絶縁体の側面と面する領域を有し、
前記半導体のチャネル長方向において、前記第１の絶縁体と接する前記第２の導電体の側面の下端部と、前記第１の絶縁体と接する前記第３の導電体の側面の下端部との間の距離は、前記第１の絶縁体と接する前記第２の導電体の側面の上端部と、前記第１の絶縁体と接する前記第３の導電体の側面の上端部との間の距離より小さい、半導体装置。
【請求項３】
請求項１又は請求項２において、
前記半導体のチャネル長方向において、前記第１の絶縁体と接する前記第２の導電体の側面の下端部と、前記第１の絶縁体と接する前記第３の導電体の側面の下端部との間の距離が、５ｎｍ以上８０ｎｍ以下である、半導体装置。
【請求項４】
請求項１乃至請求項３のいずれか一において、
前記半導体のチャネル幅方向において、前記第１の絶縁体は、前記半導体の側面と面する領域を有し、
前記半導体のチャネル幅方向において、前記第１の導電体は、前記第１の絶縁体を介して、前記半導体の側面と面する領域を有する、半導体装置。
【請求項５】
請求項１乃至請求項４のいずれか一において、
前記第１の導電体は、第４の導電体と、前記第４の導電体上の第５の導電体を有し、
前記第２の導電体は、第６の導電体と、前記第６の導電体上の第７の導電体を有し、
前記第３の導電体は、第８の導電体と、前記第８の導電体上の第９の導電体を有し、
前記第５の導電体は、前記第４の導電体より酸素の透過を抑制する機能を有し、
前記第７の導電体は、前記第６の導電体より酸素の透過を抑制する機能を有し、
前記第９の導電体は、前記第８の導電体より酸素の透過を抑制する機能を有する、半導体装置。
【請求項６】
請求項１乃至請求項５のいずれか一において、
前記半導体を介して、前記第１の導電体と重なる領域を有する第３の絶縁体を有し、
前記第３の絶縁体を介して、前記半導体と重なる領域を有する第１０の導電体を有する、半導体装置。
【請求項７】
請求項１乃至請求項６のいずれか一において、
前記半導体は、酸化物半導体である半導体装置。
【手続補正書】
【提出日】令和1年7月23日(2019.7.23)
【手続補正１】
【補正対象書類名】明細書
【補正対象項目名】００１５
【補正方法】変更
【補正の内容】
【００１５】
第２のカメラ１５はボンディングヘッド１０に据えられる。カメラ１５の光軸は、ボンディングヘッド１０の把持軸に平行に延在する。第２のカメラ１５は、第２のカメラ１５の画像に割り当てられる画素座標系の配向がボンディングヘッド１０の把持軸に対して固定された幾何学的関係にあるように、ボンディングヘッド１０に機械的に据えられる。基板位置の少なくとも１つの画像によって、または、第２のカメラ１５によって記録される基板上のマーキングによって判断される基板位置の画素座標は、第２の幾何学的データによって、ボンディングヘッド１０の機械座標に変換される。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
基板を処理するチャンバであって、
前記チャンバ内の基準部品であって、前記チャンバの作動中に摩耗しない基準部品と、
前記チャンバ内の消耗部品であって、前記チャンバの作動中に摩耗する消耗部品と、
前記基板を前記チャンバ内へ移送する移送アームと、
前記移送アーム上のセンサであって、前記移送アームが前記チャンバ内へ直線移動位置に沿って前記消耗部品の上を移動するときに、前記センサから前記消耗部品の表面までの第１の距離を測定するように構成され、前記移送アームが前記直線移動位置に沿って前記基準部品の上を移動するときに、前記センサから前記基準部品の表面までの第２の距離を測定するように構成されているセンサと、
前記第１の距離および前記第２の距離に基づいて前記消耗部品の摩耗量を決定するように構成されているコントローラと
を備えるチャンバ。
【請求項２】
請求項１に記載のチャンバであって、前記コントローラは、前記消耗部品の前記表面の平面と前記基準部品の前記表面の平面との距離差を計算し、前記距離差は、前記第１の距離から前記第２の距離を減じたものに等しい、チャンバ。
【請求項３】
請求項２に記載のチャンバであって、前記コントローラは、前記消耗部品が最初に取り付けられた時から開始する、前記距離差の経時変化を追跡する、チャンバ。
【請求項４】
請求項３に記載のチャンバであって、前記コントローラは、前記距離差が、前記消耗部品が最初に取り付けられた際に測定された距離差から所定の量だけ変化したときに、前記消耗部品は交換されるべきであると判定する、チャンバ。
【請求項５】
請求項１に記載のチャンバであって、前記消耗部品上の前記摩耗量は、前記チャンバを開く必要なしに決定され、前記センサは、非接触遠方測定デバイスである、チャンバ。
【請求項６】
請求項１に記載のチャンバであって、前記コントローラは、前記消耗部品の前記表面の平面と前記基準部品の前記表面の平面との距離差を計算し、前記距離差は、前記第１の距離から前記第２の距離を減じたものに等しく、前記コントローラは、前記消耗部品が最初に取り付けられた時から開始する前記距離差の経時変化に基づいて、前記消耗部品の摩耗を補償するためのプロセス・パラメータ変更を決定する、チャンバ。
【請求項７】
請求項１に記載のチャンバであって、前記センサは、前記移送アームのエンド・エフェクタに結合されている、チャンバ。
【請求項８】
請求項１に記載のチャンバであって、前記センサは、デプス・カメラ、または共焦点クロマチック測定デバイス、または低コヒーレンス・インターフェロメトリ測定デバイス、または静電容量距離センサ、または変色検出器のうちの１つである、チャンバ。
【請求項９】
請求項１に記載のチャンバであって、さらに、
前記センサを格納するための真空移送チャンバのステーションまたはロード・ロックを含み、前記移送アームは、前記真空移送チャンバ内の前記ステーションまたは前記ロード・ロックから前記センサを載置する、
チャンバ。
【請求項１０】
請求項１に記載のチャンバであって、前記消耗部品はエッジ・リングであり、前記基準部品は前記チャンバの作動中、前記基板を保持するチャックである、チャンバ。
【請求項１１】
請求項１に記載のチャンバであって、前記センサは前記コントローラに無線で接続されており、前記センサは電池を含む、チャンバ。
【請求項１２】
請求項１に記載のチャンバであって、前記センサは前記移送アームのエンド・エフェクタに搭載可能である、チャンバ。
【請求項１３】
請求項１に記載のチャンバであって、前記センサは、前記移送アームが基板を載置しているかのように前記移送アームが前記センサを載置するよう、基板に類視する構造体上に搭載されている、チャンバ。
【請求項１４】
消耗部品の摩耗を決定する方法であって、
半導体製造チャンバ内において移送アーム上に基板を載置し、前記移送アームはセンサを含み、
前記移送アームが前記半導体製造チャンバ内へ直線移動位置に沿って消耗部品の上を移動するときに、前記センサを用いて前記センサから前記消耗部品の表面までの第１の距離を測定し、前記消耗部品は、前記チャンバの作動中に摩耗し、
前記移送アームが前記直線移動位置に沿って基準部品の上を移動するときに、前記センサを用いて前記センサから前記基準部品の表面までの第２の距離を測定し、前記基準部品は前記チャンバの作動中に摩耗せず、
前記第１の距離および前記第２の距離に基づいて前記消耗部品の摩耗量を決定すること
を備える方法。
【請求項１５】
請求項１４に記載の方法であって、前記摩耗量を決定することは、
前記消耗部品の前記表面の平面と前記基準部品の前記表面の平面との間の距離差を計算し、前記距離差は、前記第１の距離から前記第２の距離を減じたものに等しい、ことを、含む
方法。
【請求項１６】
請求項１５に記載の方法であって、さらに、
前記消耗部品が最初に取り付けられた時から開始する、前記距離差の経時変化を追跡し、前記消耗部品は、前記距離差が、前記消耗部品が最初に取り付けられた時に測定された前記距離差から所定の量だけ変化したときに、交換される、
方法。
【請求項１７】
請求項１４に記載の方法であって、前記消耗部品上の前記摩耗量は前記チャンバを開く必要なしに決定され、前記センサは非接触遠方測定デバイスである、方法。
【請求項１８】
請求項１４に記載の方法であって、前記センサは、デプス・カメラ、または共焦点クロマチック測定デバイス、または低コヒーレンス・インターフェロメトリ測定デバイス、または静電容量距離センサ、または変色検出器のうちの１つである、方法。
【請求項１９】
基板を処理するチャンバであって、
前記チャンバ内の基準部品と、
前記チャンバ内の消耗部品であって、前記チャンバの作動中に堆積物を蓄積する消耗部品と、
前記基板を前記チャンバ内へ移送する移送アームと、
前記移送アーム上のセンサであって、前記移送アームが前記チャンバ内へ直線移動位置に沿って前記消耗部品の上を移動するときに、前記センサから前記消耗部品の表面までの第１の距離を測定するように構成され、前記移送アームが前記直線移動位置に沿って前記基準部品の上を移動するときに、前記センサから前記基準部品の表面までの第２の距離を測定するように構成されているセンサと、
前記第１の距離および前記第２の距離に基づいて前記消耗部品上の堆積物の量を決定するように構成されているコントローラと
を備えるチャンバ。
【請求項２０】
請求項１９に記載のチャンバであって、前記コントローラは、前記消耗部品の前記表面の平面と前記基準部品の前記表面の平面との距離差を計算し、前記距離差は、前記第１の距離から前記第２の距離を減じたものに等しく、
前記コントローラが、前記消耗部品が最初に取り付けられた時から開始する、前記距離差の経時変化を追跡し、
前記コントローラは、前記距離差が、前記消耗部品が最初に取り付けられた時に測定された距離差から所定の量だけ変化したときに、前記消耗部品を交換されるべきであると判定する、
チャンバ。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
聴覚デバイス通信用のクライアントデバイス（１０）であって、
処理ユニットと、
メモリユニットと、
インターフェースとを備え、
前記メモリユニットは、クライアントデバイス鍵（１８２）およびクライアントデバイス証明書（１０６、１０７）を記憶しており、
前記処理ユニットは、
前記インターフェースを介して、聴覚デバイス識別子（１１２）を含む接続応答（４１２）を受信し、
前記聴覚デバイス識別子（１１２）および前記クライアントデバイス鍵（１８２）に基づいて、証明書鍵を含む１つまたは複数の鍵を生成し、
前記証明書鍵および前記クライアントデバイス証明書（１０６、１０７）に基づいて認証メッセージ（４２４）を取得し、認証メッセージ（４２４）を取得することは、前記証明書鍵を用いて前記クライアントデバイス証明書（１０６、１０７）を暗号化することによって暗号化されたクライアントデバイス証明書（１０６Ａ、１０７Ａ）を生成することと、前記暗号化されたクライアントデバイス証明書（１０６Ａ、１０７Ａ）を前記認証メッセージ（４２４）の中に入れることとを含み、
前記インターフェースを介して前記認証メッセージ（４２４）を送信するように構成されているクライアントデバイス。
【請求項２】
前記処理ユニットは、セッション識別子（１８０）を取得するように構成され、１つまたは複数の鍵を生成することは、前記聴覚デバイス識別子（１１２）および前記クライアントデバイス鍵（１８２）に基づいて聴覚デバイス鍵を生成することと、前記聴覚デバイス鍵および前記セッション識別子（１８０）に基づいて共通秘密を生成することとを含む請求項１に記載のクライアントデバイス。
【請求項３】
前記証明書鍵は、前記共通秘密および証明書値に基づく請求項２に記載のクライアントデバイス。
【請求項４】
１つまたは複数の鍵を生成することは、前記聴覚デバイス識別子（１１２）、前記セッション識別子（１８０）および前記クライアントデバイス鍵（１８２）に基づいてセッション鍵（１８８）を生成することを含み、前記処理ユニットは、フィッティングデバイス（１４）に対して前記セッション鍵（１８８）を送信するように構成されている請求項２または３に記載のクライアントデバイス。
【請求項５】
前記セッション鍵（１８８）は、前記共通秘密およびセッション値に基づく請求項４に記載のクライアントデバイス。
【請求項６】
前記処理ユニットは、前記認証メッセージ（４２４）の中に、前記クライアントデバイス鍵（１８２）を示す認証鍵識別子（１６６）を入れるように構成されている請求項１から５のいずれか一項に記載のクライアントデバイス。
【請求項７】
前記処理ユニットは、前記認証メッセージ（４２４）の中に認証タイプ識別子（１６８）を入れるように構成されている請求項１から６のいずれか一項に記載のクライアントデバイス。
【請求項８】
前記クライアントデバイス証明書（１０６、１０７）は、
証明書タイプ識別子（１３０）、
署名デバイス識別子（１３６）、
クライアントデバイスタイプ識別子（１５６）、
クライアントデバイス識別子（１５８）、
クライアントデバイス鍵識別子（１５９）、
１つまたは複数のハードウェア識別子（１４８）、および
デジタル署名（１１３）
のうちの１つまたは複数を含む請求項１から７のいずれか一項に記載のクライアントデバイス。
【請求項９】
聴覚デバイス通信用のクライアントデバイスを運用する方法であって、前記クライアントデバイスは、クライアントデバイス鍵（１８２）およびクライアントデバイス証明書（１０６、１０７）を記憶しているメモリユニットを備えており、
前記インターフェースを介して、聴覚デバイス識別子（１１２）を含む接続応答（４１２）を受信するステップと、
前記聴覚デバイス識別子（１１２）および前記クライアントデバイス鍵（１８２）に基づいて、証明書鍵を含む１つまたは複数の鍵を生成するステップと、
前記証明書鍵および前記クライアントデバイス証明書（１０６、１０７）に基づいて認証メッセージ（４２４）を取得するステップであって、前記認証メッセージ（４２４）を取得するステップは、前記証明書鍵を用いて前記クライアントデバイス証明書（１０６、１０７）を暗号化することによって暗号化されたクライアントデバイス証明書（１０６Ａ、１０７Ａ）を生成するステップ、および、前記暗号化されたクライアントデバイス証明書（１０６Ａ、１０７Ａ）を前記認証メッセージ（４２４）の中に入れるステップを含むステップと、
前記インターフェースを介して前記認証メッセージ（４２４）を送信するステップとを含む方法。
【請求項１０】
セッション識別子（１８０）を取得するステップを含み、１つまたは複数の鍵を生成するステップは、前記聴覚デバイス識別子（１１２）および前記クライアントデバイス鍵（１８２）に基づいて聴覚デバイス鍵を生成するステップと、前記聴覚デバイス鍵および前記セッション識別子（１８０）に基づいて共通秘密を生成するステップとを含む請求項９に記載の方法。
【請求項１１】
前記証明書鍵は、前記共通秘密および証明書値に基づく請求項１０に記載の方法。
【請求項１２】
１つまたは複数の鍵を生成するステップは、前記聴覚デバイス識別子（１１２）、前記セッション識別子（１８０）および前記クライアントデバイス鍵（１８２）に基づいてセッション鍵（１８８）を生成するステップを含み、前記方法は、前記フィッティングデバイス（１４）に対して前記セッション鍵（１８８）を送信するステップを含む請求項１０または１１に記載の方法。
【請求項１３】
前記セッション鍵（１８８）は、前記共通秘密およびセッション値に基づく請求項１２に記載の方法。
【請求項１４】
前記認証メッセージ（４２４）を取得するステップは、前記クライアントデバイス鍵（１８２）を示す認証鍵識別子（１６６）を前記認証メッセージ（４２４）の中に入れるステップを含む請求項９から１３のいずれか一項に記載の方法。
【請求項１５】
前記認証メッセージ（４２４）を取得するステップは、前記認証メッセージの中に認証タイプ識別子（１６８）を入れることを含む請求項９から１４のいずれか一項に記載の方法。
【手続補正書】
【提出日】平成31年4月11日(2019.4.11)
【手続補正１】
【補正対象書類名】明細書
【補正対象項目名】００１９
【補正方法】変更
【補正の内容】
【００１９】
グランド１４は、基板７のほぼ中央において基板７の長手方向に延びるように設けられている。グランド１４は、高周波回路である昇圧回路１５ａ及び１５ｂから離して配置すると共に、アンテナ１０ａ及び１０ｂからも離して配置することが、電波の受信効率の面で好ましい。そこで、本実施形態では、アンテナ１０ａ及び１０ｂの一部を長辺２１ａ側に配置し、昇圧回路１５ａ及び１５ｂを長辺２１ｂ側に配置して、グランド１４を基板７の中央に配置することで、グランド１４と昇圧回路１５ａ及び１５ｂとの距離と、グランド１４とアンテナ１０ａ及び１０ｂとの距離を確保している。また、グランド１４もアンテナの一部として機能するため、線状ではなく、図４に示すような面状とすることが、電波の受信効率を向上させる上で好ましい。
【手続補正２】
【補正対象書類名】明細書
【補正対象項目名】００３０
【補正方法】変更
【補正の内容】
【００３０】
ＩＣカードケース３０は、内部にＩＣ定期券・ＩＣ乗車券等のＩＣカード２６を収容して、ＩＣカード２６の紛失や損傷を防止する目的で用いられるものである。ＩＣカードケース３０は、ほぼ矩形の平板形状を有する。尚、ＩＣカード２６は、例えば、ＮＦＣ（Ｎｅａｒ  Ｆｉｅｌｄ  Ｃｏｍｍｕｎｉｃａｔｉｏｎ）規格の１３．５６ＭＨｚの電波を利用して通信可能なものである。
【手続補正３】
【補正対象書類名】明細書
【補正対象項目名】００３３
【補正方法】変更
【補正の内容】
【００３３】
枠部材２２は、回路基板２４の周縁部に沿って延びる枠状の部材であり、回路基板２４の裏面との間に所定間隔を空けて対向するように設けられている。枠部材２２の中央部には、収納されたＩＣカードを露出させる窓部２７が設けられている。尚、枠部材２２の表面には、部品を実装するためのパッドが複数設けられているが、これは回路基板が備えるパターンを意匠として利用したものである。尚、枠部材２２の表面の装飾も基板上の金属膜をエッチングすることによって形成できるので、枠部材２２の表面には任意の装飾を施すことができる。
【手続補正４】
【補正対象書類名】明細書
【補正対象項目名】００３４
【補正方法】変更
【補正の内容】
【００３４】
スペーサ部材２３は、回路基板２４の長辺２１ａと、短辺２０ａと、長辺２１ｂとに沿って延びるコ字型の部材である。スペーサ部材２３は、回路基板２４と枠部材２２との間に挟まれており、回路基板２４及び枠部材２２のクリアランスを一定に維持する。回路基板２４と枠部材２２とのクリアランスは、収納するＩＣカードの厚みよりも大きく設定されている。
【手続補正５】
【補正対象書類名】明細書
【補正対象項目名】００３５
【補正方法】変更
【補正の内容】
【００３５】
本実施形態では、枠部材２２と、スペーサ部材２３と、回路基板２４の基板７とは、いずれも同じ材質の基板（例えば、ガラスエポキシ基板）で形成されており、回路基板２４、スペーサ部材２３及び枠部材２２をこの順に重ね合わせてプレス接着することにより一体化されている。回路基板２４、スペーサ部材２３及び枠部材２２の貼り合わせに接着剤を使用しても良い。枠部材２２と回路基板２４との間にスペーサ部材２３を挟み込むことによって、回路基板２４の短辺２０ｂ側からＩＣカード２６を挿入して収容可能な収納部が形成されている。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
複数のピクセルを含むピクセルアレイと、
前記複数のピクセルのうちの一部を選択する選択モジュールと、
前記選択されたピクセルの一部の出力信号に基づいて、前記選択されたピクセルのうちのイベントを検出した活性ピクセルを示すイベント信号を生成するイベントモジュールと、
前記イベント信号に基づいて、前記活性ピクセルを示す情報を出力する出力モジュールと、を備えることを特徴とするイベント基盤センサ。
【請求項２】
前記イベントは、光の強度が変化するイベントを含むことを特徴とする請求項１に記載のイベント基盤センサ。
【請求項３】
前記イベント信号は、前記活性ピクセルのアドレスを含むことを特徴とする請求項１に記載のイベント基盤センサ。
【請求項４】
前記複数のピクセルのそれぞれは、前記選択モジュールの選択信号に反応して光の強度の変化量を示す出力信号を出力することを特徴とする請求項１に記載のイベント基盤センサ。
【請求項５】
前記イベント信号に基づいて、前記活性ピクセルをリセットするリセットモジュールを更に含むことを特徴とする請求項１に記載のイベント基盤センサ。
【請求項６】
前記リセットモジュールは、前記イベント信号に反応して前記活性ピクセルにリセット信号を印加することを特徴とする請求項５に記載のイベント基盤センサ。
【請求項７】
前記ピクセルアレイは、２次元行列の構造を有し、
前記選択モジュールは、予め設定された周期に応じて前記２次元行列の構造に含まれる複数の行を順次選択することを特徴とする請求項１に記載のイベント基盤センサ。
【請求項８】
前記イベントモジュールは
前記イベント信号を生成するために前記出力信号のうちの１つの出力信号と基準信号とを比較する比較器と、
前記出力信号の大きさを測定するアナログ・デジタルコンバータと、を含むことを特徴とする請求項１に記載のイベント基盤センサ。
【請求項９】
前記イベントモジュールは、
前記イベント信号を生成するために複数の基準信号と前記出力信号のうちの１つの出力信号とを比較する低解像度アナログ・デジタルコンバータと、
前記出力信号の大きさを測定する高解像度アナログ・デジタルコンバータと、を含むことを特徴とする請求項１に記載のイベント基盤センサ。
【請求項１０】
前記ピクセルアレイは、２次元行列の構造を有し、
前記イベントモジュールは、前記２次元行列の構造に含まれる複数の列に対応する複数のサブイベントモジュールを含むことを特徴とする請求項１に記載のイベント基盤センサ。
【請求項１１】
前記出力モジュールは、複数のサブ出力モジュールを含み、
前記複数のサブ出力モジュールのそれぞれは、前記複数のサブイベントモジュールに対応するそれぞれのサブイベントモジュールに接続されることを特徴とする請求項１０に記載のイベント基盤センサ。
【請求項１２】
前記イベントモジュールは、
前記活性ピクセルが光の強度が増加する第１類型のイベントを検出した場合、第１イベント信号を生成し、
前記活性ピクセルが光の強度が減少する第２類型のイベントを検出した場合、第２イベント信号を生成することを特徴とする請求項１に記載のイベント基盤センサ。
【請求項１３】
前記複数のピクセルのそれぞれは、
光の強度を検出して前記検出された光の強度を示す第１電圧を生成する検出回路と、
前記第１電圧に基づいて、前記光の強度の変化量を示す第２電圧を生成する時変回路と、
前記複数のピクセルのうちの１つに対応するピクセルを選択する前記選択モジュールの選択信号に反応して前記第２電圧の大きさと同一の大きさの第３電圧を出力するバッファ回路と、を含むことを特徴とする請求項１に記載のイベント基盤センサ。
【請求項１４】
前記検出回路は、
前記複数のピクセルのうちの１つに対応して入射される光の強度を検出するフォトダイオードと、
前記第１電圧の大きさが前記検出された光の強度に線形に比例するように前記フォトダイオードの出力を増幅する増幅器と、を含むことを特徴とする請求項１３に記載のイベント基盤センサ。
【請求項１５】
前記時変回路は、前記検出回路に直列に接続されたキャパシタを含むことを特徴とする請求項１３に記載のイベント基盤センサ。
【請求項１６】
前記時変回路は、前記第１電圧の変化によって前記キャパシタに充電された電荷量を予め設定された比率で増幅する第２増幅器を更に含むことを特徴とする請求項１５に記載のイベント基盤センサ。
【請求項１７】
前記時変回路は、前記複数のピクセルのうちの１つに対応するピクセルを選択する前記選択モジュールの選択信号と前記イベント信号に反応して生成されたリセット信号とに基づいて、前記キャパシタに充電された電荷量をリセットするスイッチを更に含むことを特徴とする請求項１５に記載のイベント基盤センサ。
【請求項１８】
前記バッファ回路は、
前記第２電圧に基づいて前記第３電圧を生成するソースフォロアーと、
前記複数のピクセルのうちの１つに対応するピクセルを選択する前記選択モジュールの選択信号に反応して前記第３電圧を出力するトランジスタと、を含むことを特徴とする請求項１３に記載のイベント基盤センサ。
【請求項１９】
電圧降下を補償した基準信号を前記イベントモジュールに提供する基準信号提供モジュールを更に含むことを特徴とする請求項１に記載のイベント基盤センサ。
【請求項２０】
前記ピクセルアレイは、２次元行列の構造を有し、
前記基準信号提供モジュールは、前記２次元行列の構造に含まれる複数の行に対応する複数の複製ピクセルを含み、
前記複数の複製ピクセルのそれぞれは、前記複数の複製ピクセルのうちの１つに対応する複製ピクセルを選択する前記選択モジュールの選択信号に反応して基準信号を出力することを特徴とする請求項１９に記載のイベント基盤センサ。
【手続補正２】
【補正対象書類名】明細書
【補正対象項目名】発明の名称
【補正方法】変更
【補正の内容】
【発明の名称】イベント基盤センサ
【手続補正３】
【補正対象書類名】明細書
【補正対象項目名】０００１
【補正方法】変更
【補正の内容】
【０００１】
本発明は、イベント基盤センサに関する。
【手続補正４】
【補正対象書類名】明細書
【補正対象項目名】０００４
【補正方法】変更
【補正の内容】
【０００４】
本発明は、上記従来技術に鑑みてなされたものであって、本発明の目的は、動的視覚センサ（ＤＶＳ：Ｄｙｎａｍｉｃ  Ｖｉｓｉｏｎ  Ｓｅｎｓｏｒ）を用いることでピクセルサイズを減少させるイベント基盤センサを提供することにある。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
大気圧プラズマ生成用ガスが導入される管状誘電体と、
前記管状誘電体の内空部において前記管状誘電体の軸線方向に延びる、コイル状又は表面に凹凸を有する形状の内部電極と、
前記管状誘電体の外側に、前記内部電極に沿う外部電極と、
を備えていることを特徴とするプラズマ装置。
【請求項２】
前記外部電極の形状が、前記管状誘電体の外周部を取り巻く筒状であることを特徴とする請求項１に記載のプラズマ装置。
【請求項３】
前記大気圧プラズマ生成用ガスが窒素ガスであることを特徴とする請求項１又は２に記載のプラズマ装置。
【請求項４】
大気圧プラズマの照射口が、ヒトの口腔内に挿入され得る大きさであることを特徴とする請求項１〜３の何れか一項に記載のプラズマ装置。
【請求項５】
生成された大気圧プラズマが、細胞、生体組織又は生物個体の治療若しくは賦活に使用されることを特徴とする請求項１〜４の何れか一項に記載のプラズマ装置。
【請求項６】
生成された大気圧プラズマの照射量を制御する照射量制御機器をさらに備えたことを特徴とする請求項１〜５の何れか一項に記載のプラズマ装置。
【請求項７】
請求項１〜６の何れか一項に記載のプラズマ装置の使用方法であって、
前記外部電極と前記内部電極の間に、２０ｋＶｐｐ未満且つ２０ｋＨｚ未満の交流を印加することによって、大気圧プラズマを生成することを特徴とするプラズマ装置の使用方法。
【請求項８】
前記管状誘電体に導入される前記大気圧プラズマ生成用ガスの導入量を制御することによって、照射口から照射される大気圧プラズマの照射量を毎分５．０Ｌ未満に制御することを特徴とする請求項７に記載のプラズマ装置の使用方法。
【請求項９】
大気圧プラズマの温度が、照射口から１ｍｍ以上１０ｍｍ以下の距離において、４０℃以下となる様に、前記交流及び前記大気圧プラズマ生成用ガスの導入量のうち少なくとも何れか一方を制御することを特徴とする請求項７又は８に記載のプラズマ装置の使用方法。
【手続補正２】
【補正対象書類名】明細書
【補正対象項目名】発明の名称
【補正方法】変更
【補正の内容】
【発明の名称】プラズマ装置及びその使用方法
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
筐体と、
前記筐体内に配置される部品に対する電力を供給するバッテリと、
前記バッテリを取り付けるためのフレーム部材と
を備え、
前記バッテリは、前記フレーム部材に対し、バッテリ端子カバー部材を介して取り付けられ、
前記フレーム部材は、端部に締結部を備えた腕部を有し、
前記バッテリ端子カバー部材は、前記締結部に対し固定されることを特徴とする携帯端末装置。
【請求項２】
前記バッテリ端子カバー部材は、前記締結部に対し段付きネジで締結されていることを特徴とする請求項１に記載の携帯端末装置。
【請求項３】
前記バッテリ端子カバー部材に設けられたバッテリ端子は、前記バッテリに圧入されることを特徴とする請求項１または２に記載の携帯端末装置。
【請求項４】
前記腕部は、前記筐体に前記バッテリが取り付けられる際に前記バッテリ端子に向けて前記バッテリが進入する方向に延び、
前記バッテリ端子カバー部材は、前記腕部の弾性変形によって、前記筐体に対して移動可能に支持されていることを特徴とする請求項３に記載の携帯端末装置。
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
破断荷重が１３Ｎより大きくかつ８８Ｎ未満であり、破断ひずみが５６％より大きい、咀嚼力向上用組成物。
【請求項２】
破断ひずみが９６％以下である、請求項１に記載の咀嚼力向上用組成物。
【請求項３】
幅１５〜５０ｍｍ、長さ７〜６５ｍｍおよび高さ７〜２０ｍｍの大きさである、請求項１または２に記載の咀嚼力向上用組成物。
【請求項４】
重量が２〜２０ｇである、請求項１〜３のいずれか１項に記載の咀嚼力向上用組成物。
【請求項５】
使用者が口に入れてから飲み込むまでの時間が９０秒以内である、請求項１〜４のいずれか１項に記載の咀嚼力向上用組成物。
【請求項６】
加工食品である、請求項１〜５のいずれか１項に記載の咀嚼力向上用組成物。
【請求項７】
ゲル状の製剤またはゲル状の食品である、請求項１〜５のいずれか１項に記載の咀嚼力向上用組成物。
【請求項８】
個別に容器詰めされている、請求項１〜７のいずれか１項に記載の咀嚼力向上用組成物。
【請求項９】
弾性を有し、かつ幅１５〜５０ｍｍ、長さ７〜６５ｍｍおよび高さ７〜２０ｍｍの大きさである組成物を提供することを含む、咀嚼力を向上させる方法。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
精油とフルーツおよび／または野菜を添加した食品。
【請求項２】
精油を食品に混ぜ込む時に、油分を使う食品の場合は、先に油分に溶かした精油を添加し、油分を使用しない食品の場合はアルコールに溶かしてから混ぜ込む精油を添加した食品の製造方法。
【請求項３】
アルコールで溶かした精油を霧吹きで食品が出来あがった後に振りかける精油を添加した食品の製造方法。
【請求項４】
精油は、原液で使う場合のほかに、アルコール、グリセリン、および／または、油脂で希釈したものを使う精油を添加した食品の製造方法。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
アカマダラハタ、その卵又はそれらの加工品から抽出したＤＮＡについて、下記（１）〜（６）のいずれかのDNAマーカー座配列中の連続する少なくとも１８個の塩基から成るオリゴヌクレオチドであって、そのマイクロサテライト配列を挟む２つの塩基配列のうち、一方の塩基配列から成るポリヌクレオチド、及び他方の塩基配列から成るオリゴヌクレオチドに相補的なオリゴヌクレオチド、又はこれらに相補的な配列の２つのオリゴヌクレオチドから成るＰＣＲ用プライマーを用いて増幅したポリヌクレオチドから成る、成長性遺伝形質を有するアカマダラハタを識別するための遺伝マーカー。
（１）連鎖群12上のDNAマーカー座Ebr00010FRA（配列番号１）（その487〜534位がマイクロサテライト配列に相当する。）
（２）連鎖群12上のDNAマーカー座Ebr00935FRA（配列番号２）（その131〜162位がマイクロサテライト配列に相当する。）
（３）連鎖群21上のDNAマーカー座Ebr00846FRA（配列番号３）（その173〜206位がマイクロサテライト配列に相当する。）
（４）連鎖群21上のDNAマーカー座Ebr00924FRA（配列番号４）（その321〜344位がマイクロサテライト配列に相当する。）
（５）連鎖群21上のDNAマーカー座CfuSTR210（配列番号５）（その106〜127位がマイクロサテライト配列に相当する。）
（６）連鎖群21上のDNAマーカー座Ebr01255FRA（配列番号６）（その113〜136位がマイクロサテライト配列に相当する。）
【請求項２】
下記工程から成る成長性遺伝形質を有するアカマダラハタの識別方法。
１）アカマダラハタ、その卵又はそれらの加工品から抽出したＤＮＡについて、下記（１）〜（６）のいずれかのDNAマーカー座配列中の連続する少なくとも１８個の塩基から成るオリゴヌクレオチドであって、そのマイクロサテライト配列を挟む２つの塩基配列のうち、一方の塩基配列から成るポリヌクレオチド、及び他方の塩基配列から成るオリゴヌクレオチドに相補的なオリゴヌクレオチド、又はこれらに相補的な配列の２つのオリゴヌクレオチドから成るＰＣＲ用プライマーを用いてポリヌクレオチドを増幅する工程、
（１）連鎖群12上のDNAマーカー座Ebr00010FRA（配列番号１）（その487〜534位がマイクロサテライト配列に相当する。）
（２）連鎖群12上のDNAマーカー座Ebr00935FRA（配列番号２）（その131〜162位がマイクロサテライト配列に相当する。）
（３）連鎖群21上のDNAマーカー座Ebr00846FRA（配列番号３）（その173〜206位がマイクロサテライト配列に相当する。）
（４）連鎖群21上のDNAマーカー座Ebr00924FRA（配列番号４）（その321〜344位がマイクロサテライト配列に相当する。）
（５）連鎖群21上のDNAマーカー座CfuSTR210（配列番号５）（その106〜127位がマイクロサテライト配列に相当する。）
（６）連鎖群21上のDNAマーカー座Ebr01255FRA（配列番号６）（その113〜136位がマイクロサテライト配列に相当する。）
２）別途継代飼育の結果、成長性遺伝形質を有すると認められる系統のアカマダラハタについて、上記１）と同じ工程を実施する工程、及び
３）１）と２）の工程で増幅したポリヌクレオチドが一致する場合に、アカマダラハタが成長性遺伝形質を有すると識別する工程
【請求項３】
工程３）において、比較するポリヌクレオチドのサイズが一致する場合に、アカマダラハタが成長性遺伝形質を有すると識別する請求項２に記載の方法。
【請求項４】
アカマダラハタが成長性遺伝形質を有するか否かを識別するための診断キットであって、下記（１）〜（６）のいずれかのDNAマーカー座配列中の連続する少なくとも１８個の塩基から成るオリゴヌクレオチドであって、そのマイクロサテライト配列を挟む２つの塩基配列のうち、一方の塩基配列から成るポリヌクレオチド、及び他方の塩基配列から成るオリゴヌクレオチドに相補的なオリゴヌクレオチド、又はこれらに相補的な配列の２つのオリゴヌクレオチドから成るＰＣＲ用プライマーを含むキット。
（１）連鎖群12上のDNAマーカー座Ebr00010FRA（配列番号１）（その487〜534位がマイクロサテライト配列に相当する。）
（２）連鎖群12上のDNAマーカー座Ebr00935FRA（配列番号２）（その131〜162位がマイクロサテライト配列に相当する。）
（３）連鎖群21上のDNAマーカー座Ebr00846FRA（配列番号３）（その173〜206位がマイクロサテライト配列に相当する。）
（４）連鎖群21上のDNAマーカー座Ebr00924FRA（配列番号４）（その321〜344位がマイクロサテライト配列に相当する。）
（５）連鎖群21上のDNAマーカー座CfuSTR210（配列番号５）（その106〜127位がマイクロサテライト配列に相当する。）
（６）連鎖群21上のDNAマーカー座Ebr01255FRA（配列番号６）（その113〜136位がマイクロサテライト配列に相当する。）
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
少なくともプロセッサとメモリを備え、抽選を含むゲームを実行させる制御部と、前記抽選を実行させるための抽選条件を記憶する記憶部と、として機能するコンピュータにおいて実行されるゲーム制御方法であって、
前記抽選以外の前記ゲームを進行することにより、所定値の第１仮想通貨を所定のユーザに関連付けて前記記憶部に記憶させるステップと、
所定値の第２仮想通貨を前記ユーザに関連付けて前記記憶部に記憶させるステップと、
前記抽選を実行する場合に、前記ユーザに関連付けられた前記第１仮想通貨と前記第２仮想通貨のうちの少なくとも一方を減算させる際の減算値を含む前記抽選条件を、前記記憶部に記憶させるステップと、
前記ユーザによる抽選要求を受け付けて前記抽選を実行することにより、所定の希少度を有するゲーム媒体を前記ユーザに関連付けるとともに、前記抽選条件に基づいて前記ユーザに関連付けられた前記第１仮想通貨と前記第２仮想通貨のうちの少なくとも一方を減算させるステップと、
を含み、
前記第２仮想通貨は、前記ユーザによる課金額に応じて前記ユーザに付与され、
前記第１仮想通貨には、前記第１仮想通貨の価値を制限する第２条件が関連付けられ、
前記第２仮想通貨には、前記第２仮想通貨の価値を制限する条件が関連付けられておらず、
前記抽選は、前記ゲーム媒体を含む複数の母集団ゲーム媒体、および、前記ゲーム媒体または前記希少度に関連付けられる確率、に基づいて定義される仮想筐体に関する情報に基づいて実行され、
前記抽選を実行する場合に前記ユーザに関連付けられた前記第１仮想通貨と前記第２仮想通貨のうちいずれが減算された場合にも、同一の前記仮想筐体に関する情報に基づいて前記抽選を実行する、
ゲーム制御方法。
【請求項２】
前記抽選以外の前記ゲームを進行することにより、前記ユーザにゲームポイントを関連付けて前記記憶部に記憶させ、
前記ゲームポイントが第１条件を満たした場合に、所定値の第１仮想通貨を前記ユーザに関連付けて前記記憶部に記憶させる、請求項１のゲーム制御方法。
【請求項３】
前記第２条件は前記ユーザに関連付けることが可能な前記第１仮想通貨の上限値を含み、
前記ゲームポイントが前記第１条件を満たすことにより所定値の第１仮想通貨を前記ユーザに付与した場合に、前記第１仮想通貨の値が前記上限値を超過する場合には、前記ゲームポイントが前記第１条件を満たしたとしても前記第１仮想通貨を前記ユーザに付与しない、
請求項２のゲーム制御方法。
【請求項４】
前記第１条件は、前記ゲームポイントの累積値が閾値に達したことを含み、
前記ゲームは、ゲームステージに関連付けられたクエストと、前記クエストに関連付けられた複数のミッションと、を含み、
複数の前記ミッションには、所定値のゲームポイントが関連付けられており、
前記ゲームの進行に基づいて前記ミッションが達成された場合には、前記ミッションに関連付けられた前記ゲームポイントに基づいて前記累積値を更新する、
請求項２または３のゲーム制御方法。
【請求項５】
前記第２条件は、前記第１仮想通貨に基づいて前記抽選を実行することが不可能になるまでの時間を指定する時間的条件を含み、
前記時間的条件が満足されなくなった場合には、前記第１仮想通貨に基づいて前記抽選を実行することを不可能とする、
請求項１〜４のいずれかのゲーム制御方法。
【請求項６】
前記コンピュータは、ゲーム画像を表示させる表示部をさらに備え、
前記制御部は、前記第１仮想通貨に関する画像と、前記第２条件に基づいて前記第１仮想通貨の価値が制限されるまでの残存条件に関する画像とを、互いに関連付けて前記表示部に表示させる、
請求項１〜５のいずれかのゲーム制御方法。
【請求項７】
前記第２条件が前記第１仮想通貨に基づいて前記抽選を実行することが不可能になるまでの時間を指定する時間的条件を含み、前記時間的条件が前記第１仮想通貨の各値に個別に関連付けられている場合には、
前記制御部は、前記第１仮想通貨の各値に関する画像と、前記第１仮想通貨の各値に個別に関連付けられた前記残存条件に関する画像とを、互いに関連付けて前記表示部に表示させる、
請求項６のゲーム制御方法。
【請求項８】
前記第２条件が前記第１仮想通貨に基づいて前記抽選を実行することが不可能になるまでの時間を指定する時間的条件を含み、前記時間的条件が前記第１仮想通貨の各値に個別に関連付けられている場合には、
前記制御部は、前記第１仮想通貨の各値に個別に関連付けられた前記残存条件のうち、残存する前記時間的条件が最も小さい最小残存条件を特定し、前記第１仮想通貨に関する画像と、前記最小残存条件に関する画像とを、互いに関連付けて前記表示部に表示させる、
請求項６のゲーム制御方法。
【請求項９】
前記第２条件が前記第１仮想通貨に基づいて前記抽選を実行することが不可能になるまでの時間を指定する時間的条件を含み、前記時間的条件が前記第１仮想通貨の各値に個別に関連付けられている場合には、
前記制御部は、所定期間内に前記時間的条件が満足されなくなる前記残存条件に関連付けられた前記第１仮想通貨の値の合計値を特定し、
前記第１仮想通貨に関する画像と、前記合計値に関する画像とを、互いに関連付けて前記表示部に表示させる、
請求項６のゲーム制御方法。
【請求項１０】
請求項１〜９のいずれかのゲーム制御方法を、前記コンピュータに実行させるゲームプログラム。
【請求項１１】
少なくともプロセッサとメモリを備えるコンピュータであって、前記プロセッサの制御により、請求項１〜９のいずれかのゲーム制御方法を実行する、コンピュータ。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
記憶部及び表示部を備えるコンピュータの制御プログラムであって、
第１のプレイヤに関連付けて、第１のパラメータ値に関する情報を前記記憶部に記憶するとともに、第２のプレイヤに関連付けて、第２のパラメータ値に関する情報及び所定のゲーム媒体に関する情報を前記記憶部に記憶し、
前記第１のプレイヤにより、前記第２のプレイヤに対する所定のアクションが指示された場合に、前記第１のパラメータ値と前記第２のパラメータ値とに基づいて前記第１のプレイヤと前記第２のプレイヤとの勝敗を判定し、
前記第１のプレイヤにより、前記所定のゲーム媒体に対する所定のアクションが指示された後に前記第２のプレイヤに対する所定のアクションが指示された場合に、前記第１のパラメータ値と前記第２のパラメータ値とは異なる第３のパラメータ値とに基づいて前記第１のプレイヤと前記第２のプレイヤとの勝敗を判定し、
前記判定された勝敗を示す情報を前記表示部に表示する
ことを前記コンピュータに実行させることを特徴とする制御プログラム。
【請求項２】
前記記憶部は、前記第１のプレイヤに関連付けて第１のポイントを記憶し、前記第２のプレイヤに関連付けて第２のポイントを記憶し、
前記第１のパラメータ値と前記第２のパラメータ値とに基づいて前記第１のプレイヤと前記第２のプレイヤとの勝敗が判定された場合、前記第１のパラメータ値と前記第２のパラメータ値との差分値に基づいて前記第１のポイント又は前記第２のポイントを変更する、請求項１に記載の制御プログラム。
【請求項３】
前記記憶部は、前記第１のプレイヤに関連付けて第１のポイントを記憶し、前記第２のプレイヤに関連付けて第２のポイントを記憶し、
前記第１のパラメータ値と前記第３のパラメータ値とに基づいて前記第１のプレイヤと前記第２のプレイヤとの勝敗が判定された場合、前記第１のパラメータ値と前記第２のパラメータ値との差分値に基づいて前記第１のポイント又は前記第２のポイントを変更する、請求項１または２に記載の制御プログラム。
【請求項４】
前記記憶部は、前記第１のプレイヤに関連付けて第１のポイントを記憶し、前記第２のプレイヤに関連付けて第２のポイントを記憶し、
前記第１のプレイヤと前記第２のプレイヤとの勝敗が判定された場合、前記第２のパラメータ値に基づいて前記第１のポイント又は前記第２のポイントを変更する、請求項１に記載の制御プログラム。
【請求項５】
前記差分値が小さいほど、前記第１のポイント又は前記第２のポイントの変更量が大きい、請求項２または３に記載の制御プログラム。
【請求項６】
前記第１のポイントに基づいて前記第１のプレイヤに特典に関する情報を関連付け、且つ、前記第２のポイントに基づいて前記第２のプレイヤに特典に関する情報を関連付ける、請求項２〜５の何れか一項に記載の制御プログラム。
【請求項７】
前記所定のゲーム媒体に対する前記所定のアクションが指示されるほど初期値から所定の増加または減少する第３のパラメータ値を用いて前記第１のプレイヤと前記第２のプレイヤとの勝敗を判定し、
時間の経過に伴って前記第３のパラメータ値を回復させる、請求項１〜６の何れか一項に記載の制御プログラム。
【請求項８】
記憶部及び表示部を備えるコンピュータにおける制御方法であって、
第１のプレイヤに関連付けて、第１のパラメータ値に関する情報を前記記憶部に記憶するとともに、第２のプレイヤに関連付けて、第２のパラメータ値に関する情報及び所定のゲーム媒体に関する情報を前記記憶部に記憶し、
前記第１のプレイヤにより、前記第２のプレイヤに対する所定のアクションが指示された場合に、前記第１のパラメータ値と前記第２のパラメータ値とに基づいて前記第１のプレイヤと前記第２のプレイヤとの勝敗を判定し、
前記第１のプレイヤにより、前記所定のゲーム媒体に対する所定のアクションが指示された後に前記第２のプレイヤに対する所定のアクションが指示された場合に、前記第１のパラメータ値と前記第２のパラメータ値とは異なる第３のパラメータ値とに基づいて前記第１のプレイヤと前記第２のプレイヤとの勝敗を判定し、
前記判定された勝敗を示す情報を前記表示部に表示する
ことを含むことを特徴とする制御方法。
【請求項９】
表示部を備えるコンピュータであって、
第１のプレイヤに関連付けて、第１のパラメータ値に関する情報を記憶するとともに、第２のプレイヤに関連付けて、第２のパラメータ値に関する情報及び所定のゲーム媒体に関する情報を記憶する記憶部と、
前記第１のプレイヤにより、前記第２のプレイヤに対する所定のアクションが指示された場合に、前記第１のパラメータ値と前記第２のパラメータ値とに基づいて、前記第１のプレイヤ及び前記第２のプレイヤの勝敗を判定し、
前記第１のプレイヤにより、前記所定のゲーム媒体に対する所定のアクションが指示された後に前記第２のプレイヤに対する所定のアクションが指示された場合に、前記第１のパラメータ値と前記第２のパラメータ値とは異なる第３のパラメータ値とに基づいて前記第１のプレイヤと前記第２のプレイヤとの勝敗を判定し、
前記判定された勝敗を示す情報を前記表示部に表示する、処理部と、
を備えることを特徴とするコンピュータ。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
複数のプレイヤによってプレイされるマルチプレイヤ型の電子ゲームを提供するゲーム提供システムであって、
複数のプレイヤがそれぞれ操作するキャラクタを特定する情報と、前記プレイヤの操作によって前記電子ゲームにおいて実行されるアクティビティの内容と、を関連付け、
システムにログインしているプレイヤに対して前記キャラクタと当該プレイヤに関する前記アクティビティの内容とを関連付けて表示させる表示手段と、
を備え、
前記アクティビティは、前記電子ゲームに関してリアルタイムで実行されているアクティビティであることを特徴とするゲーム提供システム。
【請求項２】
請求項１に記載のゲーム提供システムであって、
前記アクティビティは、前記電子ゲームにおいてガチャを実行中である旨の表示又はガチャの結果であることを特徴とするゲーム提供システム。
【請求項３】
請求項１又は２に記載のゲーム提供システムであって、
前記ロビーは、複数のプレイヤのそれぞれが操作可能な前記キャラクタの画像を同一の画面上に表示させたものであることを特徴とするゲーム提供システム。
【請求項４】
請求項１〜３のいずれか１項に記載のゲーム提供システムであって、
前記表示手段において表示された前記アクティビティの内容を確認したプレイヤの反応を受け付ける入力手段を備え、
前記反応の対象となった前記キャラクタに対して、前記反応の内容に応じて前記電子ゲーム上の効果を与えることを特徴とするゲーム提供システム。
【請求項５】
複数のプレイヤによってプレイされるマルチプレイヤ型の電子ゲームを提供するゲームプログラムであって、
複数のプレイヤがそれぞれ操作するキャラクタを特定する情報と、前記プレイヤの操作によって前記電子ゲームにおいて実行されるアクティビティの内容と、を関連付け、
システムにログインしているプレイヤに対して前記キャラクタと当該プレイヤに関する前記アクティビティの内容とを関連付けて表示させる表示手段として機能させ、
前記アクティビティは、前記電子ゲームに関してリアルタイムで実行されているアクティビティであることを特徴とするゲームプログラム。
【請求項６】
複数のプレイヤによってプレイされるマルチプレイヤ型の電子ゲームを提供するゲーム提供方法であって、
複数のプレイヤがそれぞれ操作するキャラクタを特定する情報と、前記プレイヤの操作によって前記電子ゲームにおいて実行されるアクティビティの内容と、を関連付け、
システムにログインしているプレイヤに対して前記キャラクタと当該プレイヤに関する前記アクティビティの内容とを関連付けて表示させ、
前記アクティビティは、前記電子ゲームに関してリアルタイムで実行されているアクティビティであることを特徴とするゲーム提供方法。